(57)【要約】【課題】エビ等の生きた餌を針にさしたままの状態で、多数の針がついた長い仕掛を、からむことなく確実に固定することができるとともに、仕掛を投入するときも、仕掛を上げるときも、魚を取り込むときも、餌を交換するときも、また仕掛の変更も容易におこなうことができる魚釣り用の仕掛固定具を提供するものである。【解決手段】炭酸カルシウムが添加された弾性を有するプラスチック発泡材を材料とし、互いに間隔をあけて設けられた複数個の切り込み部を有する細長板状の仕掛糸固定台が、細長板状の支持基板の上に固着されている仕掛固定具を、ロッドキーパー等で船縁に固定した上、図８のように仕掛糸を切り込み部に仮固定し、ハリスのみを船内へ、ハリス以外の先糸・幹糸・捨て糸・オモリ全てを船外に出す事によって、仕掛からみをなくし、かつ容易に仕掛を投入することを可能としたものである。【選択図】      図１２
2004329198.tif 000002
【特許請求の範囲】
【請求項１】
細長平板状の支持基板（１）の上面に、炭酸カルシウムが添加された弾性を有するプラスチック発泡材（商品名カルプシートあるいはヒシボード）を材料とする細長平板状の仕掛糸固定台（２）が固着されており、仕掛糸固定台（２）には、該仕掛糸固定台（２）の長手方向に直交する方向に、仕掛糸を上方から差し込み、仮固定を可能とする、支持基板（１）にまで達する垂直の切り込み部（３）が複数個互いに間隔をあけられて設けられている仕掛固定具。
【請求項２】
支持基板（１）に糸留め部（５）、または糸留め具（６）を設けた請求項１の仕掛固定具。
【請求項３】
支持基板（１）の長手方向の両側面に数値目盛り（２４）を設けた請求項１または請求項２の仕掛固定具。
【発明の詳細な説明】
【０００１】
【発明の属する技術分野】
この発明は、海の船釣において仕掛がからむことを防止し、かつ容易に仕掛を投入できるようにするための仕掛固定具に関するものである。
【０００２】
【従来の技術】
伊勢湾地域等では、マダイ釣り等、海の大物釣りにおいては、ウタセエビと呼ばれる生きた海エビを撒き餌にし、刺し餌にも同じウタセエビを使用し、図４に示すような胴付仕掛による釣りが行われているが、幹糸１１は２ｍから２．５ｍであり、仕掛の全長が時には１０ｍ以上にもなり、その上、ハリス９も１．５ｍから２ｍと長い為、初心者や風の強い時、波の高い時、半夜釣りで暗くなってきた時、釣り上げた魚が暴れた時など、頻繁に仕掛がからみ、多くの時間が無駄に費やされている。
そこで、磁石で針を吸着させたり、弾性材料に切り込みを入れたフックに針を仮止めする等の仕掛固定具が考案されている。
【０００３】
【特許文献１】特開平８−３３２０１０
【特許文献２】実開平６−１３４７７
【特許文献３】特開２００１−３３３６７８
【０００４】
【発明が解決しようとする課題】
しかしながら、エビ餌を使用する場合は、エビ餌を針に刺す時、ケンと呼ばれるエビの頭部から突き出ているツノ状のものを折り取ってから、口のあたりから針を通し、背側に針先をほんの少し、１ｍｍほど出し（針のカエシは背側に抜かない）、図５に示すように、エビ餌１４と針１０の軸が直角になるように、かつ、図６に示すように、針の軸の断面１５と針先１６がエビ餌１４の体幹の中心線上にあるように刺す、「鼻掛け」といわれる方法でエビ餌をつけるが、針を刺しても生きて泳いでいるようにする為には細心の注意が必要である。
ウタセエビによる大物釣りに限らず、中小物釣りにしても、又、どのような餌を使用するにしても、餌を針に正しくつける事は魚釣りの第一歩であり、つけ方の良し悪しは釣果を大きく左右する。
針をフックに引っ掛けたり（特開平８−３３２０１０の図１）（実開平６−１３４７７の図７）、磁石で吸着させる方法（特開２００１−３３３６７８の図３）での仕掛固定方法では、エビ餌を正しく「鼻掛け」することが出来ない。又、虫餌、冷凍オキアミ餌、切り身の餌等、他の餌にしても、餌を傷めたり、針から外れてしまうおそれがある。
【０００５】
【課題を解決するための手段】
以上の課題を解決するために、請求項１の発明は、エビ餌を針にさしたままの状態で仕掛を仮固定する為に、炭酸カルシウムが添加された弾性を有するプラスチック発泡材を材料とし、互いに間隔をあけて設けられた複数個の切り込み部（３）を有する仕掛糸固定台（２）が、細長平板状の支持基板（１）の上に固着されている仕掛固定具を、ロッドキーパー等で船縁に固定した上、図８のように仕掛糸を切り込み部（３）に仮固定し、ハリスのみを船内へ、ハリス以外の先糸・幹糸・捨て糸・オモリ全てを船外に出す事によって、仕掛からみをなくし、かつ容易に仕掛を投入することを可能としたものである。
【０００６】
また、請求項目２の発明は、特に重いオモリを使用する場合や、オモリ負荷の大きい釣竿を使用する場合には、プラスチック発泡材では負荷がかかり過ぎる為に、支持基板（１）に糸留め部（５）あるいは糸留め具（６）を設けたものである。
【０００７】
また、請求項目３の発明は、仕掛の変更をする場合に、糸の長さを測ることが出来るように、支持基板（１）に数値目盛り（２４）を設けたものである。
【０００８】
【発明の実施の形態】
この発明の一実施形態を、図１に示す。
支持基板（１）は木製であり、厚さ１．５ｃｍ、幅６ｃｍ、長さ４５ｃｍ程度で中型クーラーボックスに入る程度の大きさであり、仕掛糸固定台（２）に接する部分以外の角には、仕掛糸が傷つくことを防止する為に全て角を丸くしてあり、防水の為のニス塗装を施したものである。
【０００９】
仕掛糸固定台（２）は、商品名カルプシートあるいはヒシボードとよばれるが、カルプシートは主原料をＰＰ（プリプロピレン）、ヒシボードは主原料をＥＶＡ（エチレンビニルアルコール）とし、炭酸カルシウム（充填材）と発泡剤を添加して独立発泡させて板状とされたものを材料とする。厚さは１ｃｍ、幅は支持基板（１）と同じで、長さはロッドホルダー固定部（４）の分、支持基板（１）より短くしたものである。
仕掛糸を仮固定する為の切り込み部（３）は、支持基板（１）の上に仕掛糸固定台（２）を両面テープ等で接合した後、長て方向に直角に、上より垂直に、カッターナイフまたは０．３ｍｍ程度の刃の薄い鋸等を用いて、複数個、互いに間隔をあけて、支持基板（１）に達するまでの切り込みを仕掛糸固定台（２）に設けたものである。
【００１０】
本発明品に使用する発泡材は、熱安定性・緩衝性・断熱性・耐水性・耐薬品性・接着性・加工性・耐候性に優れ、表面平滑で手触りも良く、仕掛糸を傷つけることもなく、なにより圧縮弾性にすぐれている。本発泡材は、カルプ文字、チャンネル文字とよばれる看板の素材として使用されており、一般には市販されていない。
図７にオモリ６０号（約２２５ｇ）を結んだ５号（直径０．３７０ｍｍ）のハリスを、厚さ１ｃｍ幅６ｃｍのプラスチック発泡材の切り込み部（３）に上から差し込んでから、縦に９０度倒して、オモリを吊るした状態を示す。発泡材のもつ圧縮弾性により、サルカンや糸の結びこぶなどのストッパーがなくてもオモリが抜け落ちることのない強いハリス保持力を有しながら、かつ、ハリス脱着は容易である。発泡材の幅を広げればさらに強いハリス保持力を持つ。本発明はこの発泡材のもつ優れた物性を利用したものである。
【００１１】
発泡材としてカルプシート・ヒシボードの商品名をあげたが、両者は主原料は違うものの、見た目や感触・弾力はほとんど変わらず、判別する事ができない為、充填材としての炭酸カルシウムを添加したプラスチック発泡材で同等の物性を有するものであれば本考案の範囲に含むことになる。
【００１２】
支持基板（１）と仕掛糸固定台（２）との接合は接着剤でもよいが、発泡材のもつ強い接着性により、一般的な両面粘着テープで充分である。
【００１３】
支持基板（１）は木製に限らず、アルミ・硬質ゴム等、材質はなんでもよい。外形寸法も任意とする。仕掛糸固定台（２）の外形寸法も任意とする。
【００１４】
請求項２は、通常使用するオモリの重さの範囲においては、発泡材のもつ圧縮弾性により切り込み部（３）だけでオモリを充分保持できるが、船をアンカーで固定した「係り釣り」の場合、船の潮上に位置していて、潮の流れが速くなってきた時は意図的に極端に重いオモリを使用して、潮下の他の人の仕掛とからまないようにする場合がある為に、又、オモリ負荷の大きい釣竿を使用したり、風が強くて釣竿に大きな負荷がかかる場合がある為に、オモリ負荷及び釣竿の弾力負荷に耐える為の糸留め部（５）を、両端の切り込み部の両側の直下４ヶ所に、又は糸留め部材（６）を支持基板（１）に２ヶ所設置したものである。
【００１５】
図９に、図２の糸留め部（５）の詳細を示す。切り込み部（３）は先糸、幹糸及び、オモリにつながる捨て糸を結ぶサルカンを止めるものであるが、実はストッパーとなっているのはサルカンではなく、図８に示すように、サルカン（８）に結んだ糸の結びこぶ（１７）によって止められている。図９の（１８）はサルカンの一部を示す。この為、結びこぶ（１７）より狭く、かつ、仕掛糸より幅広い、具体的には１ｍｍ程度の幅で開口部の深さ５ｍｍ程度の斜めの溝（１９）を、仕掛糸固定台（２）の切り込み部（３）の直下の位置に支持基板（１）に設け、この溝（１９）の最下部に上方への抜け止めとして直径３ｍｍ程の皿穴（２０）を設けたものである。三又サルカン（８）も様々な種類、大きさがあるが、どのようなサルカンを使用しても結びこぶ（１７）はあるので、皿穴（２０）で受け止めることができる。結びこぶ（１７）が止まれば、どのような構造でもよく、また別部材を支持基板（１）に取り付けてもよい。例えば、図１０に示す様に、半径１．５ｍｍ程の断面半円状の溝を支持基板（１）に設け、この溝に達するまで斜めの溝（１９）を設けてもよい。
【００１６】
図３は、図２の糸留め部（５）の代わりに、糸留め具（６）を支持基板（１）の２ヶ所に取り付けた様子を示す。
図１１に糸留め具（６）の詳細を示す。スペーサー（２２）は、仕掛糸固定台（２）と同一素材のプラスチック発泡材であり、厚さ７ｍｍ、直径２０ｍｍの円盤の中心に直径４ｍｍの穴をあけたものである。スペーサー（２２）を２枚重ねて、ステントラスビス（２３）で支持基板（１）にビス止めしたものである。
オモリのついた捨て糸（１２）、道糸についた先糸（７）を２枚のスペーサー（２２）の間に挟むか、巻きつけて留める為のものであり、糸が留まれば材質・寸法・形状は問わない。
【００１７】
請求項３の数値目盛り（２４）を図１１に示す。支持基板（１）の長て方向の、両側の側面に、全長に渡って、５ｍｍ間隔程度の数値目盛りを印刷するか、数値目盛りを裏印刷した透明プラスチックシートを接着したものである。
【００１８】
「実施形態の効果」
この実施形態によれば、仕掛け取り付け時、仕掛け投入時、仕掛けを上げる時、何れの場合でもからみがほとんどなくなる。実際の使用例を図１２に示す。なお、図４では３本針仕掛を示したが、図１２では４本針仕掛での様子を示している。
初めに、仕掛固定具をロッドホルダー等にて船縁に固定する。この際、ロッドホルダー固定部４を潮上方向に、仕掛糸固定台２を潮下方向にして固定する。潮の流れによって仕掛は斜めに降下し、又、斜めに上げられるので、潮上方向に仕掛糸固定台２を固定すると、潮の流れとは逆方向順序に仕掛を固定しなければならず、扱いづらくなる為である。図１２の２６に潮の流れの向きを示す。
【００１９】
仕掛を仕掛保持具にセットする時は、まず先糸７と幹糸１１の２本をリールに近い側の端の切り込み部３に、図８に示すように差し込み、三又サルカン８が仕掛糸固定台２に接するまで２本の糸を海側に引き、ハリス９は船内側に垂らしておき、針１０は仕掛糸固定台２に刺しておく。この後、竿の穂先２７が少し曲がる程度までリールを巻き上げて道糸を張り、この状態でリールにカウンターがついていればゼロに設定し、船縁停止位置を設定しておく。この船縁停止位置設定により、リールを巻いて仕掛を上げ、仕掛固定具にセットした時には、穂先２７が曲がっており、道糸にかかる張力によって竿先のガイドに道糸がからまる事がなくなる。
この後、同様にして三又サルカンをはさんだ上と下の２本の幹糸１１を隣の切り込み部３に差し込み、幹糸は船外に、ハリスは船内に垂らしておき、針は仕掛糸固定台２に刺しておく事をハリスの本数分繰り返し、捨て糸１２にオモリ１３をつけた後、オモリ１３は船外に垂らしておく。
仕掛のセットが終わった後、針１０にウタセエビ１４を「鼻掛け」し、海水を入れたバケツ等の容器に入れて泳がせておく。できれば複数の容器に分けて入れておいたほうが複数のハリス９同士がからみにくくなる。
【００２０】
仕掛を投入する時は、一番下のハリスを船外に投入した後、切り込み部３に差し込んだ捨て糸１１と幹糸１１の２本の糸と三又サルカンをはずして投入する。この後、この操作を繰り返し、最後の先糸７を投入した後、リールのストッパーをはずして仕掛を魚のいる棚まで送り込む。各段階で仕掛は次の切り込み部３で止まっている為に、オモリの重さで勝手に急速に落下することはなく、上下のハリスがからんだり、ハリスが幹糸にからむことも、道糸が竿先にからむことも殆どなくなる。エビ餌の場合は特にゆっくり丁寧に仕掛を送り込む必要がある。本仕掛固定具を使用すれば、長い仕掛でも片手で投入することも可能である。
【００２１】
仕掛を上げる場合は、仕掛をセットする時と同様にして、船縁停止位置でリールの巻き上げを停止し、竿の穂先２７を少し曲げる程度に道糸を張って一番上の先糸７とサルカン８を挟んだ下の幹糸１１の２本を切り込み部３に差し込み、ハリス９は船内に垂らす。エビ餌１４が食われてなくなっていたり、弱っていれば外して針１０は仕掛糸固定台２に刺しておく。エビ餌１４の活きがよければバケツにいれておく。このようにして次々と隣の切り込み部３に三又サルカンの上下２本の幹糸を差し込み、幹糸１１は船外に、ハリス９は船内に垂らして、仕掛を仕掛糸固定台２にセットし、オモリ１３は船外に吊るしたままにして完了する。長い捨て糸のついたオモリを船内に取り込む必要は、オモリ交換時以外にはない。
魚が掛かっていても、仕掛を上げる各段階で、仕掛は切り込み部３で止まっているので、簡単に魚を取り込む事ができる。ハマチなど横走りする魚が掛かって隣の釣り人の仕掛とからむおそれがあって、急いで取り込まなければならない場合や、大物がきて慎重にやり取りしなければならない場合は、とりあえず針を仕掛糸固定台２に刺しておいて魚を取り込んだ後に仕掛を仕掛糸固定台２にセットすればよい。
又、仕掛の中程の針だけエビ餌を交換したい場合も、全ての仕掛を上げる必要はなく、途中まで仕掛を仮固定し、餌を付け替えた後、再投入すればよい。
【００２２】
サルカンが固定されている為、傷ついたハリスの交換も楽になり、又、エビ餌の刺し方が悪く、仕掛を上げる際にエビ餌が回転し、ハリスに撚りがかかった場合でも手でしごいて撚り戻しが楽に出来る。
状況に応じてハリスの長さを変えたり、太さを変えるが、数値目盛り２４が支持基板１に設けられているので、ハリスの長さを楽に調節できる。具体的には中小物が多い場合は細くて短く、大物狙いの場合は太くて長くする。
ハリスのみならず、釣り船における着座の位置や潮の速さの変化、潮の向き、釣れてくる魚の大きさ、魚のいる棚の垂直・水平方向の位置を機敏に判断し、又、船長の指示、釣れている人の仕掛を見習い、ハリス・針・オモリ・捨て糸と、幹糸・サルカン以外のおよそ仕掛の全ての部分を随時変更しなければならない事も多いが、サルカンが固定されている為、容易に変更することができる。捨て糸は棚に合わせる為に、時に１０ｍとることもある。
【００２３】
該当用具がない場合、仕掛の投入・取り込みに大きな動作と注意を必要とするが、本発明品を使用する事により、楽に仕掛を投入・取り込みすることが出来、仕掛からみをなくす事のほか、仕掛投入器としての機能をもあわせ持つ。初心者の場合、２本針の仕掛を使用し、また扱いやすくする為に、先糸７もつけず、捨て糸１２も４０ｃｍ程と短くすることも多いが、本発明品を使用すれば多数本針の仕掛でも容易に扱うことができる。棚を広く探れる事、下の餌をとられても上の餌が残っているなど、多数本針の仕掛の方が有利であることはいうまでもない。
【００２４】
竿・リールを使用しない「手釣り」の場合は、とりわけ仕掛からみが多くなるが、適当な大きさのＣ型クランプ等を用いて船縁に本発明品を固定すればよい。
【００２５】
釣り終了後は、本発明品に仕掛を仮固定したまま、針は仕掛糸固定台２に刺し、ポリ袋にいれてからクーラーにいれて持ち帰れば、からむ事もなく、痛んだハリスを交換すれば何度でも仕掛を再使用出来る。
【００２６】
本発明品は、仕掛糸を固定できるため、また、数値目盛りが設けられているため、仕掛を自作する時に便利である。
【００２７】
仕掛糸を固定できる事、及び針を仕掛糸固定台２に刺せる事により、大物の胴付仕掛釣りに限らず、中小物釣り、イカ釣りをはじめ、およそほとんど全ての船釣りに使用することが出来る。
【００２８】
本発明品は、発泡材に刺して使う「ハリ休め」を目的として作ったものであるが、数値目盛りを書き、切り込みを入れて仕掛自作の補助用具として使用した際、本発明品に使用する発泡材の強い仕掛糸保持力に気付き、釣り船で実際に使用した際、図８に示すような方法で仕掛糸を切り込み部に差し込み、図１２に示すような方法で使用してみて、かみら防止及び仕掛の投入に極めて高い効果を発揮する事を発見したものである。単純な構造ではあるが、からみをなくす為にはできるだけ何もつけないほうが良い。
【００２９】
【発明の効果】
以上説明したように、この発明によれば、針に生きたエビエサをつけたままの状態で、多数の枝針のついた長い胴付仕掛でも、からむことがほとんどなくなる。
【００３０】
また、仕掛を投入する時も、仕掛を上げる時も、楽に出来る。
【００３１】
また、エサの交換、釣れた魚の取り込みが楽に出来る。
【００３２】
また、ハリス・針・捨糸・オモリの交換等、仕掛の変更を楽にすることが出来る。
【００３３】
また、胴付仕掛に限らず、船釣りにおけるほとんどの仕掛の仕掛固定具として使用できる。
【００３４】
また、仕掛を自作する時の補助用具となる。
【００３５】
【図面の簡単な説明】
【図１】この発明の一実施形態を示す斜視図、
【図２】糸留め部を設けた一実施形態を示す斜視図、
【図３】糸留め具を設けた一実施形態を示す斜視図、
【図４】胴付仕掛の一例を示した図、
【図５】エビ餌のつけ方を示した正面図、
【図６】エビ餌のつけ方を示した上面図、
【図７】本発明品に使用するプラスチック発泡材の切り込み部の仕掛糸保持力を示した斜視図、
【図８】本発明品を船縁に設置し、仕掛糸固定台の切込み部に仕掛糸を差し込んだ時の様子を示す、本発明品の短辺方向から見たところの図、
【図９】支持基板に設けた糸留め部の詳細の斜視とサルカンに結んだ糸こぶの大きさの関係を示した図、
【図１０】支持基板に設けた糸留め部の他の実施形態を示した斜視図
【図１１】支持基板に設けた糸留め具と数値目盛りを示した斜視図
【図１２】本発明品の利用例を示す斜視図である。
【符号の説明】
１  支持基板                  ２  仕掛糸固定台
３  切り込み部                ４  ロッドホルダー固定部
５  糸留め部                  ６  糸留め具
７  先糸                      ８  三又サルカン
９  ハリス                  １０  針
１１  幹糸                    １２  捨て糸
１３  オモリ                  １４  エビ餌
１５  針の軸の断面            １６  針先
１７  糸の結びこぶ            １８  三又サルカンの一部
１９  斜めの切り込み溝        ２０  皿穴
２１  断面半円状の溝          ２２  スペーサー
２３  ステントラスビス        ２４  数値目盛り
２５  船縁の一部              ２６  潮の流れの向き
２７  竿の穂先
【図１】
2004329198.tif 000003
【図２】
2004329198.tif 000004
【図３】
2004329198.tif 000005
【図４】
2004329198.tif 000006
【図５】
2004329198.tif 000007
【図６】
2004329198.tif 000008
【図７】
2004329198.tif 000009
【図８】
2004329198.tif 000010
【図９】
2004329198.tif 000011
【図１０】
2004329198.tif 000012
【図１１】
2004329198.tif 000013
【図１２】
2004329198.tif 000014
【手続補正書】
【提出日】平成15年10月17日(2003.10.17)
【手続補正１】
【補正対象書類名】明細書
【補正対象項目名】特許請求の範囲
【補正方法】変更
【補正の内容】
【特許請求の範囲】
【請求項１】
細長平板状の支持基板（１）の上面に、商品名カルプシートあるいは商品名ヒシボードなどの炭酸カルシウムが添加された弾性を有するプラスチック発泡材を材料とする細長平板状の仕掛糸固定台（２）が固着されており、仕掛糸固定台（２）には、該仕掛糸固定台（２）の長手方向に直交する方向に、仕掛糸を上方から差し込み、仮固定を可能とする、支持基板（１）にまで達する垂直の切り込み部（３）が複数個互いに間隔をあけられて設けられており、スペーサーを２枚重ねてステントラスビスで支持基板（１）にビス止めした糸留め具（６）が設けられている仕掛固定具。
【請求項２】
支持基板（１）の長手方向の両側面に数値目盛り（２４）を設けた請求項１の仕掛固定具。
【手続補正２】
【補正対象書類名】明細書
【補正対象項目名】０００５
【補正方法】変更
【補正の内容】
【０００５】
【課題を解決するための手段】
以上の課題を解決するために、請求項１の発明は、エビ餌を針にさしたままの状態で仕掛を仮固定する為に、炭酸カルシウムが添加された弾性を有するプラスチック発泡材を材料とし、互いに間隔をあけて設けられた複数個の切り込み部（３）を有する仕掛糸固定台（２）が、細長平板状の支持基板（１）の上に固着されている仕掛固定具を、ロッドキーパー等で船縁に固定した上、図８のように仕掛糸を切り込み部（３）に仮固定し、ハリスのみを船内へ、ハリス以外の先糸・幹糸・捨て糸・オモリ全てを船外に出す事によって、仕掛からみをなくし、かつ容易に仕掛を投入することを可能としたものである。また、特に重いオモリを使用する場合や、オモリ負荷の大きい釣竿を使用する場合には、プラスチック発泡材では負荷がかかり過ぎる為に、支持基板（１）に糸留め具（６）を設けたものである。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】変更
【補正の内容】
【０００７】
また、請求項目２の発明は、仕掛の変更をする場合に、糸の長さを測ることが出来るように、支持基板（１）に数値目盛り（２４）を設けたものである。


【手続補正５】
【補正対象書類名】明細書
【補正対象項目名】００１４
【補正方法】変更
【補正の内容】
【００１４】
通常使用するオモリの重さの範囲においては、発泡材のもつ圧縮弾性により切り込み部（３）だけでオモリを充分保持できるが、船をアンカーで固定した「係り釣り」の場合、船の潮上に位置していて、潮の流れが速くなってきた時は意図的に極端に重いオモリを使用して、潮下の他の人の仕掛とからまないようにする場合がある為に、又、オモリ負荷の大きい釣竿を使用したり、風が強くて釣竿に大きな負荷がかかる場合がある為に、オモリ負荷及び釣竿の弾力負荷に耐える為の糸留め部（５）を、両端の切り込み部の両側の直下４ヶ所に、又は糸留め具（６）を支持基板（１）に２ヶ所設置したものである。


【手続補正６】
【補正対象書類名】明細書
【補正対象項目名】００１７
【補正方法】変更
【補正の内容】
【００１７】
請求項２の数値目盛り（２４）を図１１に示す。支持基板（１）の長て方向の、両側の側面に、全長に渡って、５ｍｍ間隔程度の数値目盛りを印刷するか、数値目盛りを裏印刷した透明プラスチックシートを接着したものである。